(57)【特許請求の範囲】
【請求項１】
建物に存在する段差部の前側に設置される玄関台であって、
前記玄関台を、人の足が載せられる大きさ及び形状に形成された足載せ板と、該足載せ板の下面側に固定された枠部とで構成し、
前記足載せ板の足が載せられる上面側に、
前記玄関台の後方から接近する人を検知するための人感知センサーと、
前記人感知センサーから検知信号が出力された際に発光し、前記足載せ板の存在を視覚的に認識させる発光部を設け、
前記枠部の前面側に、
前記玄関台の前方から接近する人を検知するための人感知センサーと、
前記人感知センサーから検知信号が出力された際に発光し、前記玄関台の存在を視覚的に認識させる発光部を設けた
玄関台。
【請求項２】
前記足載せ板に設けられた人感知センサーの検知範囲及び検知角度を、前記玄関台に対し後方から接近する人が検知される検知範囲及び検知角度に設定した
請求項１に記載の玄関台。
【請求項３】
前記枠部に設けられた人感知センサーの検知範囲及び検知角度を、前記玄関台に対し前方から接近する人が検知される検知範囲及び検知角度に設定した
請求項１又は２に記載の玄関台。
【請求項４】
前記足載せ板の上面側両端部に、前記人感知センサー及び発光部を組にしてそれぞれ配置した
請求項１〜３のいずれか一つに記載の玄関台。
【請求項５】
前記足載せ板の上面側四隅部に、前記人感知センサー及び発光部を組にしてそれぞれ配置した
請求項１〜３のいずれか一つに記載の玄関台。
【請求項６】
前記足載せ板の左右方向と平行して、該足載せ板の上面側に形成された溝部に柔軟性を有する滑り止め部材を埋め込み、
前記滑り止め部材が埋設された溝部を、該足載せ板の前後方向と直交する方向に対し等間隔に隔てて複数配列するとともに、
前記溝部より上方に、該溝部に埋め込まれた滑り止め部材の一部を突出した
請求項１〜５のいずれか一つに記載の玄関台。
【請求項７】
前記足載せ板を、前記段差部の高さに応じて、所望する足載せ高さに上下調節自在に設けた
請求項１〜６のいずれか一つに記載の玄関台。
【請求項８】
前記玄関台を、足載せ高さが低位となるように形成された前側足載せ台と、該足載せ高さが高位となるように形成された後側足載せ台とに分離自在に設け、
前記前側足載せ台及び後側足載せ台を、人の足が載せられる大きさ及び形状に形成された足載せ板と、該足載せ板の下面側に固定された枠部とで構成した
請求項１〜７のいずれか一つに記載の玄関台。
【請求項９】
前記玄関台の枠部と前記建物の段差部との間に、該枠部と段差部を着脱自在に固定する固定手段を設けた
請求項１〜８のいずれか一つに記載の玄関台。
【発明の詳細な説明】
【技術分野】
【０００１】
この発明は、例えば玄関、勝手口、縁側等の建物に存在する段差部に設置される玄関台に関する。
【背景技術】
【０００２】
従来、前記玄関台としては、例えば踏板部材の傾斜された踏面に、該踏面の存在を発光により視覚的に認識させる発光部を設け、該発光部を、明るさセンサー及び人体検知センサーから出力される検知信号に基づいて発光させる特許文献１の段差用補助具がある。
【０００３】
しかし、人体検知センサーは、踏板部材の傾斜された踏面側に設けられているので、踏面より前側に存在する人は検知することができるが、踏面より後側に存在する人は検知することは不可能である。つまり、踏板部材に対し敷居側から人が近接する場合、踏面側に設定された人体検出センサーの検出範囲内に人が入るまでは検知信号が出力されず、踏板部材の踏面に足を載せると同時に、人体検知センサーから人を検知した検知信号が出力されることになるため、踏板部材の踏面に足を載せる前に、発光部の発光により踏面の存在を視覚的に認識させることが難しい。また、踏板部材は、敷居側から床面側に向けて徐々に薄くなっているので、踏板部材の低位側端部に発光部を設けることは構造的に困難である。つまり、低位側の踏面と床面の境界を視覚的に認識することが難しく、床面側から敷居側に上る際に、低位側の踏面に躓きやすく、老人や子供が怪我することがある。
【先行技術文献】
【特許文献】
【０００４】
【特許文献１】特開２００８−２５５７３４
【発明の概要】
【発明が解決しようとする課題】
【０００５】
この発明は、建物に存在する段差部を上り下りする動作が楽に行えるとともに、足載せ板上に人の足を確実に誘導することができる玄関台を提供することを目的とする。
【課題を解決するための手段】
【０００６】
この発明は、建物に存在する段差部の前側に設置される玄関台であって、前記玄関台を、人の足が載せられる大きさ及び形状に形成された足載せ板と、該足載せ板の下面側に固定された枠部とで構成し、前記足載せ板の足が載せられる上面側に、前記玄関台の後方から接近する人を検知するための人感知センサーと、前記人感知センサーから検知信号が出力された際に発光し、前記足載せ板の存在を視覚的に認識させる発光部を設け、前記枠部の前面側に、前記玄関台の前方から接近する人を検知するための人感知センサーと、前記人感知センサーから検知信号が出力された際に発光し、前記玄関台の存在を視覚的に認識させる発光部を設けた玄関台であることを特徴とする。
【０００７】
この発明の態様として、前記足載せ板に設けられた人感知センサーの検知範囲及び検知角度を、前記玄関台に対し後方から接近する人が検知される検知範囲及び検知角度に設定することができる。
【０００８】
また、この発明の態様として、前記枠部に設けられた人感知センサーの検知範囲及び検知角度を、前記玄関台に対し前方から接近する人が検知される検知範囲及び検知角度に設定することができる。
【０００９】
また、この発明の態様として、前記足載せ板の上面側両端部に、前記人感知センサー及び発光部を組にしてそれぞれ配置することができる。
【００１０】
また、この発明の態様として、前記足載せ板の上面側四隅部に、前記人感知センサー及び発光部を組にしてそれぞれ配置することができる。
【００１１】
また、この発明の態様として、前記足載せ板の左右方向と平行して、該足載せ板の上面側に形成された溝部に柔軟性を有する滑り止め部材を埋め込み、前記滑り止め部材が埋設された溝部を、該足載せ板の前後方向と直交する方向に対し等間隔に隔てて複数配列するとともに、前記溝部より上方に、該溝部に埋め込まれた滑り止め部材の一部を突出することができる。
【００１２】
また、この発明の態様として、前記足載せ板を、前記段差部の高さに応じて、所望する足載せ高さに上下調節自在に設けることができる。
【００１３】
また、この発明の態様として、前記玄関台を、足載せ高さが低位となるように形成された前側足載せ台と、該足載せ高さが高位となるように形成された後側足載せ台とに分離自在に設け、前記前側足載せ台及び後側足載せ台を、人の足が載せられる大きさ及び形状に形成された足載せ板と、該足載せ板の下面側に固定された枠部とで構成することができる。
【００１４】
また、この発明の態様として、前記玄関台の枠部と前記建物の段差部との間に、該枠部と段差部を着脱自在に固定する固定手段を設けることができる。
【００１５】
前記段差部は、例えば玄関、勝手口、縁側等の建物（家屋を含む）に存在する段差がある部分で構成することができる。
【００１６】
人感知センサーは、例えば赤外線センサー、超音波センサー、光電センサー等で構成することができる。  
発光部は、例えば発光素子（ＬＥＤ）、白熱球、蛍光灯等の照明で構成することができる。  
【００１７】
滑り止め部材は、例えばシリコンゴム、ウレタンゴム等の柔軟性及び／又は粘着性を有する弾性体で構成することができる。  
固定手段は、例えば係止金具、受け金具、係止ピン等で構成することができる。
【発明の効果】
【００１８】
この発明によれば、段差部の前側に設置された玄関台に人が接近した際に、足載せ板の上面側及び／又は枠部の前面側に設けられた人感知センサーから出力される検知信号に基づいて、該足載せ板の上面側及び／又は枠部の前面側に設けられた発光部が発光するので、玄関台及び足載せ板の存在を、発光部の発光によって視覚的に認識させることができる。
【００１９】
これにより、段差部を上り下りする際に、玄関台の足載せ板上に人の足を確実に誘導することができ、踏み外しや躓きが起きるのを防止することができる。また、玄関台の足載せ板上に足を一旦載せて上り下りするので、段差部を上り下りする際の段差が小さくなり、段差部を上り下りする動作が楽に行える。
【図面の簡単な説明】
【００２０】
【図１】本実施例の玄関台を前方右斜め上方から見た外観形状を示す斜視図。
【図２】玄関台を正面から見た外観形状を示す正面図。
【図３】センサーユニット及び滑り止め部材の配置を示す平面図。
【図４】玄関台の内部構造を示す中央縦断側面図。
【図５】上面及び正面のセンサーユニットの内部構造を示す断面図。
【図６】玄関に設置された玄関台の設置状態を示す側面図。
【図７】取付け金具による玄関台の固定状態を示す拡大縦断側面図。
【図８】図７の取付け金具の固定構造を示す斜視図。
【図９】他の例の取付け金具による玄関台の固定状態を示す拡大縦断側面図。
【図１０】図９の取付け金具の固定構造を示す斜視図。
【図１１】その他の例の取付け金具の固定構造を示す斜視図。
【図１２】センサーユニットの他の配置例を示す平面図。
【図１３】滑り止め部材の他の埋め込み構造を示す玄関台の中央縦断側面図。
【図１４】階段状に組み立てられる玄関台の他の例を示す斜視図。
【図１５】前後の足載せ台を分離した状態を示す斜視図。
【図１６】前後の足載せ台を互いに合体した状態を示す斜視図。
【図１７】前後足載せ台の固定構造を示す部分拡大断面図。
【図１８】高さ調節機能を備えた玄関台のその他の例を示す斜視図。
【図１９】玄関台の高さ調節動作を示す斜視図。
【図２０】玄関台の高さ調節動作を示す側面図。
【図２１】足載せ台の高さ調節構造を示す部分拡大断面図。
【発明を実施するための形態】
【実施例】
【００２１】
図１は、本実施例の玄関台１０を前方右斜め上方から見た外観形状を示す斜視図、図２は、玄関台１０を正面から見た外観形状を示す正面図、図３は、センサーユニット１８及び滑り止め部材１９Ａの配置を示す平面図、図４は、玄関台１０の内部構造を示す中央縦断側面図、図５は、上面及び正面のセンサーユニット１８の内部構造を示す拡大断面図、図６は、玄関Ａに設置された玄関台１０の設置状態を示す側面図、図７は、取付け金具４０による玄関台１０の固定状態を示す拡大縦断側面図、図８は、図７の取付け金具４０の固定構造を示す斜視図である。
【００２２】
本実施例の木製の玄関台１０は、上方から見て略矩形に形成された足載せ板１１と、該足載せ板１１の下面側に固定される下方から見て略矩形に形成された枠部１２とで構成される木製の玄関台１０である。
【００２３】
枠部１２は、前後枠板１３と左右枠板１４とを下方から見て略コ字状に組み付けて形成される。また、枠部１２の後側外壁面は、後述する一対の取付け金具４０を用いて、図示しない建物に存在する玄関Ａの框部Ａｂの下部前面（或いは框部Ａｂの前面）に固定される。なお、後側枠板１３は、前側枠板１３の略１／２の上下幅に形成されている。
【００２４】
前側枠板１３は、足載せ板１１の下面側前縁部に沿って垂直に配置され、左右枠板１４の前端側内壁面に対し前後回動自在に枢着されている。また、後側枠板１３は、足載せ板１１の下面側後縁部に沿って垂直に固定されている。また、左右枠板１４は、足載せ板１１の下面側左右縁部に沿って垂直に固定されている。
【００２５】
左右枠板１４の下面側前端部に形成された切欠き部１４ａには、玄関台１０の高さを調節するためのアジャスター１５が取り付けられている。また、左右枠板１４の下面側後端部には、硬質のプラスチック或いは合成ゴムで形成された滑り止め用の接地部材１４ｂが固定されている。
【００２６】
アジャスター１５の上面側中心部には、棒状に形成されたネジ部１５ａの下端部が垂直に固定されている。また、ネジ部１５ａの上端部は、枠板１４に形成された切欠き部１４ａの下端面に対し垂直に螺合されている。
【００２７】
つまり、アジャスター１５を水平方向に回動操作して、玄関Ａの床部Ａａに接地される高さを上下調節することにより、玄関台１０を、玄関Ａの床部Ａａに対しガタ付きの無い状態に設置することができる。
【００２８】
アジャスター１５の軸中心は、足載せ板１１の前端を基準としてｈ寸法だけ後方に位置されているので、足載せ板１１に付加される利用者の体重が、枠板１４に取り付けられたアジャスター１５に対し垂直に付加される。  
これにより、利用者の体重がアジャスター１５によって支えられるので、枠板１４の前端側に変形が生じにくく、耐久性が向上する。なお、アジャスター１５の全体を、足載せ板１１の前端より後方に配置してもよい。
【００２９】
前側枠板１３の左右下端部と、左右枠板１４の前端側内壁面にネジ止めされた軸受板１６の下端部とは、一対の支軸１７によって前後回動自在に枢着されている（図２参照）。
【００３０】
つまり、前側枠板１３は、左右の支軸１７を中心として、枠部１２の前面側が開放される図４中仮想線で示す開位置と、該枠部１２の前面側が閉塞される図４中実線で示す閉位置とに前後開閉自在に設けられている。
【００３１】
また、閉位置に回動された前側枠板１３は、該前側枠板１３の上端部に挿通される木ネジ１３ａによって足載せ板１１の下面側前縁部に固定され、後述する電源ボックス１３ｂに装填された電池１３ｃを交換する際に開放される。
【００３２】
前側枠板１３の右側内壁面には、後述するセンサーユニット１８に対し電力を供給するための電源ボックス１３ｂが取り付けられている。また、電源ボックス１３ｂには、複数本の電池１３ｃが交換可能に装填されている。
【００３３】
前側枠板１３の前面側中央部と、足載せ板１１の上面側両端部（足載せ面の右端及び左端）には、人が接近したことを検知する人感知センサー１８ａと、該人感知センサー１８ａから検知信号が出力された際に点灯されるＬＥＤ型の発光素子１８ｂとを内蔵してなるセンサーユニット１８が配置されている。
【００３４】
センサーユニット１８は、透光性を有するプラスチック製のケース内部に、人感知センサー１８ａと発光素子１８ｂとを内蔵してユニット化されている（図５のｃ，ｄ参照）。そのユニット化されたセンサーユニット１８は、足載せ板１１の上面側両端部と、前側枠板１３の前面側中央部に形成された図示しない略楕円形状の取付け孔に埋め込まれている。また、センサーユニット１８の検知面が、足載せ板１１の上面及び前側枠板１３の前面に対し水平となるように取り付けられている。
【００３５】
また、センサーユニット１８は、図示しない制御装置を介して前記電源ボックス１３ｂに接続されている。つまり、電源ボックス１３ｂの電池１３ｃから供給される電力で点灯されるとともに、制御装置よって点灯及び消灯が制御される。  
なお、電池１３ｃの代わりに、例えば太陽光発電、風力発電等の発電装置から供給される電力によって発光させてもよい。
【００３６】
前側枠板１３に取り付けられたセンサーユニット１８の人感知センサー１８ａは、玄関Ａに設置された玄関台１０に対し前方（室外側）から接近する人が検知されるように正面方向に向けて取り付けられている。
【００３７】
足載せ板１１に取り付けられたセンサーユニット１８の人感知センサー１８ａは、玄関Ａに設置された玄関台１０に対し後方（室内側）から接近する人が検知されるように後側斜め上方に向けて取り付けられている。
【００３８】
前側枠板１３に取り付けられた人感知センサー１８ａの検知範囲及び検知角度は、玄関台１０に対し前方から接近する人が検知される検知範囲（半径が１．５ｍ〜２ｍの範囲）及び検知角度（略４５度の角度）に設定されている（図５のｄ及び図６中の仮想線Ｂ参照）。
【００３９】
足載せ板１１に取り付けられた人感知センサー１８ａの検知範囲及び検知角度は、玄関台１０に対し後方から接近する人が検知される検知範囲（半径が１．５ｍ〜２ｍの範囲）範囲及び検知角度（略４５度の角度）に設定されている（図５のｃ及び図６中の仮想線Ｃ参照）。  
なお、人感知センサー１８ａの検知範囲及び検知角度は、場所や状況に応じて所望する範囲及び角度に変更することができる。
【００４０】
つまり、玄関Ａに設置された玄関台１０に室外側から人が接近した際、前側枠板１３に取り付けられたセンサーユニット１８の人感知センサー１８ａの検知範囲内に人が入ると同時に、人感知センサー１８ａから人を検知した検知信号が出力される。
【００４１】
また、玄関Ａに設置された玄関台１０に室内側から人が接近した際、足載せ板１１の右端及び／又は左端に取り付けられたセンサーユニット１８の人感知センサー１８ａの検知範囲内に人が入ると同時に、人感知センサー１８ａから人を検知した検知信号が出力される。
【００４２】
図示しない制御装置は、人感知センサー１８ａから出力される検知信号に基づいて、足載せ板１１及び前側壁板１３に取り付けられたセンサーユニット１８の発光素子１８ｂを、図示しない内蔵タイマーによって計時される一定時間（約２０秒〜約３０秒の間）だけ点灯させる。
【００４３】
また、内蔵タイマーによって計時される時間が予め設定された時間経過した際に、発光素子１８ｂが自動的に消灯されるので、電力の消費を低減することができる。なお、発光素子１８ｂの点灯時間は、２０秒以下又は３０秒以上の時間に変更することができる。
【００４４】
足載せ板１１の上面側（足載せ面）には、柔軟性を有するシリコンゴム製の滑り止め部材１９Ａを埋め込むための凹状の溝部１１ａが、足載せ板１１の長手方向（正面から見て左右方向）或いは足載せ板１１に載せられる足の長手方向と平行して形成されている。
【００４５】
溝部１１ａは、足載せ板１１の短手方向（正面から見て前後方向）或いは足載せ板１１に載せられる足の短手方向と直交する方向に対し等間隔に隔てて４条配列されている。また、溝部１１ａは、長手方向から見て上面が開放された四角断面形状に形成されている。
【００４６】
滑り止め部材１９Ａの溝部１１ａに埋め込まれる下部は、溝部１１ａと対応して長手方向から見て四角断面形状に形成されている。また、滑り止め部材１９Ａの溝部１１ａより上方に突出される上部は、長手方向から見て滑らかな山形断面形状に形成されている（図４のａ部参照）。
【００４７】
なお、溝部１１ａより上方に突出される滑り止め部材１９Ａの突出寸法は、実施例において約３ｍｍに設定しているが、３ｍｍ以下又は３ｍｍ以上の突出寸法に変更してもよい。
【００４８】
足載せ板１１の上面側（足載せ面）を含む溝部１１ａの内面は、滑り止め部材１９Ａを固定するための接着剤として、ウレタンゴム製の被覆材１１ｂで覆われている。
【００４９】
ウレタンゴムは、木製の足載せ板１１及びシリコンゴム製の滑り止め部材１９Ａに対する密着性及び馴染み性がよく、滑り止め部材１９Ａが、足載せ板１１の溝部１１ａ内面に対し強固に固定される。  
なお、被覆材１１ｂを、足載せ板１１及び滑り止め部材１９Ａの材質に応じて、相互を強固に固定するのに適した材質のものに変更してもよい。
【００５０】
つまり、足の裏が、足載せ板１１上に突出する滑り止め部材１９Ａに押し付けられた際、滑り止め部材１９Ａの接触抵抗が足の裏に付与される。また、滑り止め部材１９Ａの上部が人の体重によって偏平状態に変形され、足の裏に押し付けられる接触面積が大きくなる。
【００５１】
これにより、玄関Ａの框部Ａｂを上り下りする際に、足載せ板１１に載せられた足の方向或いは足の位置が変位するのを防止することができ、足の滑り止め防止に必要な接触抵抗が安定して得られる。
【００５２】
図７は、取付け金具４０による玄関台１０の固定状態を示す拡大縦断側面図、図８は、図７の取付け金具４０の固定構造を示す斜視図である。
【００５３】
実施例の取付け金具４０は、玄関台１０の後側枠板１３に対し該玄関台１０の横幅より幅狭となる間隔に隔てて固定される係止金具４１と、該係止金具４１と対応する間隔に隔てて玄関Ａの框部Ａｂ前面に固定される受け金具４２とで構成されている。
【００５４】
係止金具４１の上端側中央部には、後述する受け金具４２の溝部４４ａ及び開口部４４ｂに対し差込み及び抜取りが許容される上方から見てＴ字状の差込み片４１ａが後側に向けて略直角に折り曲げ形成されている。
【００５５】
係止金具４１の上端側両側部には、後述する受け部４４の差込み及び抜取りが許容される間隔に隔てて一対の支持片４１ｂが後側に向けて略直角に折り曲げ形成されている。また、一対の支持片４１ｂは、受け部４４の横幅より幅広となる間隔に隔てて形成されている。  
つまり、係止金具４１の差込み片４１ａを受け金具４２の溝部４４ａに差込むとともに、係止金具４１の支持片４１ｂ，４１ｂ間に受け金具４２の受け部４４を差込むことにより、支持片４１ｂ，４１ｂが受け部４４の両側端面に当接されるので、係止金具４１と受け金具４２とがガタ付きの無い状態に固定される。
【００５６】
一方、係止金具４１の下端側には、後側枠板１３の下端部に対し係止される係止片４１ｃが前側に向けて略直角に折り曲げ形成されている。また、係止金具４１の中央面には、木ネジ４５を挿通するための孔部４１ｄが左右位置に形成されている。つまり、係止金具４１は、該係止金具４１の孔部４１ｄに挿通される木ネジ４５によって玄関台１０の後側枠板１３に固定される（図７参照）。
【００５７】
受け金具４２は、玄関Ａの框部Ａｂ前面に固定される固定部４３が上端側に形成され、前記係止金具４１が係止される縦長の受け部４４が下端側に形成されている。また、固定部４３は、受け部４４より後側に係止金具４１の差込み片４１ａの差込み動作及び抜取り動作が許容される寸法分だけ変位されている。
【００５８】
固定部４３には、木ネジ４５を挿通するための孔部４３ａが上下位置に形成されている。つまり、固定部４３は、該固定部４３の孔部４３ａに挿通される木ネジ４５によって玄関Ａの框部Ａｂ前面に固定される。
【００５９】
受け部４４には、係止金具４１の差込み片４１ａが挿通される縦長の溝部４４ａが、該受け部４４の長手方向と平行して上下方向に形成されている。  
溝部４４ａは、係止金具４１の差込み片４１ａより幅狭に形成され、差込み片４１ａの首部分よりも幅広に形成されている。
【００６０】
溝部４４ａの上端には、該溝部４４ａと連通して係止金具４１の差込み片４１ａの差込み及び抜取りが許容される開口部４４ｂが横長に形成されている。また、開口部４４ｂは、固定部４３と受け部４４を連結する連結部４４ｃの斜面に沿って幅方向に形成されている。
【００６１】
前記取付け金具４０を用いて、玄関台１０を玄関Ａに設置する場合、先ず、係止金具４１を、玄関台１０の後側枠板１３の後面側下端部に装着して、該係止金具４１の係止片４１ｃを後側枠板１３の下端部に係止した後、木ネジ４５を、係止金具４１の孔部４１ｄに対し後方から挿通して後側枠板１３に捩じ込み、該係止金具４１を、差込み片４１ａ及び支持片４１ｂが後側に向けて水平に突出したまま後側枠板１３に固定する。
【００６２】
次に、受け金具４２の固定部４３を玄関Ａの框部Ａｂ前面に押し付けた後、木ネジ４５を、固定部４３の孔部４３ａに対し前方から挿通して框部Ａｂ前面に捩じ込み、該受け金具４２を、框部Ａｂ前面に対し下方に向けて垂直に固定する。  
これにより、受け金具４２の受け部４４が框部Ａｂに固定された固定部４３より前方に突き出した状態に支持される（図７参照）。
【００６３】
玄関台１０を、玄関Ａの框部Ａｂ前面に据え付ける場合、玄関台１０を一旦持ち上げて、玄関台１０の後側枠板１３を框部Ａｂ前面に接近させる。
【００６４】
この後、玄関台１０を、框部Ａｂ前面に沿って垂直降下させながら、後側枠板１３に固定された左右の係止金具４１の差込み片４１ａを、框部Ａｂ前面に固定された受け金具４２の開口部４４ｂに対し上方から差込む。
【００６５】
係止金具４１と差込み片４１ａを連結する首部分を、受け金具４２の受け部４４に形成された溝部４４ａに沿って降下させ、係止金具４１の差込み片４１ａを溝部４４ａの後側縁部に係止する。
【００６６】
つまり、後側枠板１３に固定された係止金具４１の差込み片４１ａが、框部Ａｂ前面に固定された受け金具４２の溝部４４ａに係止されるので、玄関台１０の設置位置が前後方向及び左右方向へ変位するのを防止することができる。
【００６７】
玄関台１０を、所望する場所へ移動する場合、玄関台１０を上方へ持ち上げながら、玄関台１０の後側枠板１３に固定された係止金具４１の差込み片４１ａを、框部Ａｂ前面に固定された受け金具４２の溝部４４ａ及び開口部４４ｂから抜取れば、玄関台１０を所望する場所へ移動することができる。
【００６８】
図示実施例は前記の如く構成するものにして、以下、玄関台１０を、玄関Ａの框部Ａｂに沿って床部Ａａに設置した例を説明する。
【００６９】
先ず、図６に示すように、玄関台１０を、玄関Ａの框部Ａｂに沿って床部Ａａに設置するとともに、一対の取付け金具４０を用いて框部Ａｂの下部前面（或いは框部Ａｂの前面）に固定する。
【００７０】
玄関台１０の設置完了後において、玄関Ａに設置された玄関台１０に室内側から人が接近した際、足載せ板１１の右端及び／又は左端に取り付けられたセンサーユニット１８の人感知センサー１８ａの検知範囲内に人が入ると同時に、人感知センサー１８ａから人を検知した検知信号が出力される。
【００７１】
図示しない制御装置は、人感知センサー１８ａから出力される検知信号に基づいて、足載せ板１１の右端及び左端に取り付けられたセンサーユニット１８の発光素子１８ｂを一定時間だけ点灯させる。また、前側枠板１３に取り付けられたセンサーユニット１８の発光素子１８ｂを一定時間だけ連動して点灯させてもよい。
【００７２】
これにより、足載せ板１１の足を載せる足載せ位置が、足載せ板１１の右端及び左端に取り付けられたセンサーユニット１８の発光素子１８ｂが発光する間であることを、玄関台１０に接近する人に対し視覚的に認識させることができる。
【００７３】
また、玄関Ａに設置された玄関台１０に室外側から人が接近した際、玄関台１０の前側枠板１３に取り付けられたセンサーユニット１８の人感知センサー１８ａの検知範囲内に人が入ると同時に、人感知センサー１８ａから人を検知した検知信号が出力される。
【００７４】
図示しない制御装置は、人感知センサー１８ａから出力される検知信号に基づいて、玄関台１０の足載せ板１１及び前側枠板１３に取り付けられたセンサーユニット１８の発光素子１８ｂを、図示しない内蔵タイマーによって計時される一定時間だけ点灯させる。
【００７５】
つまり、玄関台１０の前側枠板１３に取り付けられたセンサーユニット１８の発光素子１８ｂが点灯することにより、足載せ板１１の足を載せる前端の位置が、前側枠板１３に取り付けられたセンサーユニット１８の発光素子１８ｂが発光する位置であることを、玄関台１０に接近する人に対し視覚的に認識させることができる。
【００７６】
また、前側枠板１３に取り付けられたセンサーユニット１８の発光素子１８ｂの点灯と連動して、足載せ板１１の右端及び左端に取り付けられたセンサーユニット１８の発光素子１８ｂを一定時間だけ点灯してもよい。
【００７７】
これにより、玄関Ａの框部Ａｂを上り下りする際に、玄関Ａに設置された玄関台１０の足載せ板１１上に人の足を確実に誘導することができ、玄関Ａの床部Ａａに足を接地するような踏み外しが起きるのを防止することができる。かつ、玄関台１０の足載せ板１１や前側枠板１３に足先が当接するか、足先が引っ掛かるような躓きが起きるのを防止することができる。また、玄関台１０の足載せ板１１上に足を一旦載せて上り下りするので、框部Ａｂを上り下りする際の段差が小さくなり、框部Ａｂを上り下りする動作が楽に行える。
【００７８】
図９は、他の例の取付け金具５０による玄関台１０の固定状態を示す拡大縦断側面図、図１０は、図９の取付け金具５０の固定構造を示す斜視図である。
【００７９】
本例の取付け金具５０は、玄関台１０の後側枠板１３に対し該玄関台１０の横幅より幅狭となる間隔に隔てて固定される係止ピン５１と、該係止ピン５１と対応する間隔に隔てて玄関Ａの框部Ａｂ前面に固定される受け金具５２とで構成されている。
【００８０】
係止ピン５１は、軸方向から見て略丸形状に形成された頭部５１ａと、該頭部５１ａの一端側中心部に連設された軸状のネジ部５１ｂとで構成されている。
【００８１】
受け金具５２は、玄関Ａの框部Ａｂ前面に固定される固定部５３が上端側に形成され、前記係止ピン５１が係止される縦長の受け部５４が下端側に形成されている。また、固定部５３は、受け部５４より後側に係止ピン５１の頭部５１ａの差込み動作及び抜取り動作が許容される寸法分だけ変位されている。
【００８２】
固定部５３には、前記木ネジ４５を挿通するための孔部５３ａが上下位置に形成されている。つまり、固定部５３は、該固定部５３の孔部５３ａに挿通される木ネジ４５によって玄関Ａの框部Ａｂ前面に固定される。
【００８３】
受け部５４には、係止ピン５１のネジ部５１ｂが挿通される縦長の溝部５４ａが、該受け部５４の長手方向と平行して上下方向に形成されている。  
溝部５４ａは、係止ピン５１の頭部５１ａより幅狭に形成され、ネジ部５１ｂの外径より幅広に形成されている。
【００８４】
溝部５４ａの上端には、該溝部５４ａと連通して係止ピン５１の頭部５１ａの差込み及び抜取りが許容される開口部５４ｂが横長に形成されている。また、開口部５４ｂは、固定部５３と受け部５４を連結する連結部５４ｃの斜面に沿って幅方向に形成されている。
【００８５】
前記取付け金具５０を用いて、玄関台１０を玄関Ａに設置する場合、先ず、係止ピン５１のネジ部５１ｂを玄関台１０の後側枠板１３に対し後方から捩じ込み、該係止ピン５１を、後側枠板１３に対し後方に向けて水平に突出された状態に固定する。
【００８６】
次に、受け金具５２の固定部５３を玄関Ａの框部Ａｂ前面に押し付けた後、木ネジ４５を、固定部５３の孔部５３ａに対し前方から挿通して框部Ａｂ前面に捩じ込み、該受け金具５２を、框部Ａｂ前面に対し下方に向けて垂直に固定する。  
これにより、受け金具５２の受け部５４が框部Ａｂに固定された固定部５３より前方に突き出した状態に支持される（図９参照）。
【００８７】
玄関台１０を、玄関Ａの框部Ａｂ前面に据え付ける場合、玄関台１０を一旦持ち上げて、玄関台１０の後側枠板１３を框部Ａｂ前面に接近させる。
【００８８】
この後、玄関台１０を、框部Ａｂ前面に沿って垂直降下させながら、後側枠板１３に固定された左右の係止ピン５１の頭部５１ａを、框部Ａｂ前面に固定された受け金具５２の開口部５４ｂに対し上方から差込む。
【００８９】
係止ピン５１のネジ部５１ｂを、受け金具５２の受け部５４に形成された溝部５４ａに沿って降下させ、係止ピン５１の頭部５１ａを溝部５４ａの後側縁部に係止する。
【００９０】
つまり、後側枠板１３に固定された係止ピン５１の頭部５１ａが、框部Ａｂ前面に固定された受け金具５２の溝部５４ａに係止されるので、玄関台１０の設置位置が前後方向及び左右方向へ変位するのを防止することができる。これにより、前記取付け金具４０と略同等の作用及び効果を奏することができる。
【００９１】
玄関台１０を、所望する場所へ移動する場合、玄関台１０を上方へ持ち上げながら、玄関台１０の後側枠板１３に固定された係止ピン５１の頭部５１ａを、框部Ａｂ前面に固定された受け金具５２の溝部５４ａ及び開口部５４ｂから抜取れば、玄関台１０を所望する場所へ移動することができる。
【００９２】
前記係止ピン５１の代わりに、図１０中に示す係止金具５６を用いてもよい。  
係止金具５６の中央面には、前記木ネジ４５を挿通するための孔部５６ａが左右位置に形成されている。つまり、係止金具５６は、該係止金具５６の孔部５６ａに挿通される木ネジ４５によって玄関台１０の後側枠板１３に固定される。
【００９３】
係止金具５６の上下端部には、受け金具５２の溝部５４ａ及び開口部５４ｂに対し差込み及び抜取りが許容される上方から見てＴ字状の差込み片５６ｂが折り曲げ形成されている。
【００９４】
つまり、玄関台１０の後側枠板１３に固定された係止金具５６の差込み片５６ｂを、框部Ａｂ前面に固定された受け金具５２の開口部５４ｂに上方から差込み、受け金具５２の受け部５４に形成された溝部５４ａの後側縁部に係止すれば、前記係止ピン５１と略同等の作用及び効果を奏することができる。
【００９５】
図１１は、その他の例の取付け金具６０の固定構造を示す斜視図である。  
本例の取付け金具６０は、玄関台１０の後側枠板１３に固定される係止ピン６１と、玄関Ａの框部Ａｂに固定される受け金具６２とで構成されている。なお、係止ピン６１は、前記実施例の係止ピン５１と一緒であるので、その詳細な説明を省略する。
【００９６】
受け金具６２の上端側には、玄関Ａの框部Ａｂに固定される固定部６３が形成されている。また、受け金具６２の下端側には、前記係止ピン６１の頭部６１ａが係止される縦長の受け部６４が形成されている。
【００９７】
固定部６３の中央面には、前記木ネジ４５を挿通するための孔部６３ａが上下位置に形成されている。つまり、固定部６３は、該固定部６３の孔部６３ａに挿通される木ネジ４５によって玄関台１０の後側枠板１３に固定される。
【００９８】
受け部６４の前面側両端部には、上方から見てＵ字状の受け片６４ａが左右対称に折り曲げ形成されている。また、受け片６４ａの対向端部間には、係止ピン６１のネジ部６１ｂが挿通される縦長の溝部６４ｂが、該受け部６４の長手方向と平行して上下方向に形成されている。
【００９９】
溝部６４ｂは、係止ピン６１の頭部６１ａより幅狭に形成され、ネジ部６１ｂの外径より幅広に形成されている。また、溝部６４ｂの上下端は、係止ピン６１の頭部６１ａが上下方向に対し差込み及び抜取りが許容されるように開口されている。
【０１００】
つまり、玄関台１０の後側枠板１３に固定された係止ピン６１の頭部６１ａを、玄関Ａの框部Ａｂ前面に固定された受け金具６２の受け部６４に沿って、該受け部６４の受け片６４ａ間に形成された溝部６４ｂに上方から差込む。  
これにより、頭部６１ａの周縁部が受け片６４ａの対向内縁部に係止されるので、前記取付け金具４０と略同等の作用及び効果を奏することができる。
【０１０１】
また、前記係止ピン６１の代わりに、図１１中に示す係止金具６６を用いてもよい。係止金具６６の中央面には、前記木ネジ４５を挿通するための孔部６６ａが左右位置に形成されている。  
つまり、係止金具６６は、該係止金具６６の孔部６６ａに挿通される木ネジ４５によって玄関台１０の後側枠板１３の下端又は上端に固定される。
【０１０２】
係止金具６６の前端部には、受け金具６２の受け部６４に対し差込み及び抜取りが許容される上方から見てＴ字状の差込み片６６ｂが形成されている。
【０１０３】
つまり、玄関台１０の後側枠板１３に固定された係止金具６６の差込み片６６ｂを、玄関Ａの框部Ａｂ前面に固定された受け金具６２の受け部６４に沿って、該受け部６４の受け片６４ａ間に形成された溝部６４ｂに上方から差込む。  
これにより、差込み片６６ｂが、受け片６４ａの対向内縁部に係止されるので、前記係止ピン６１と略同等の作用及び効果を奏することができる。
【０１０４】
図１２は、センサーユニット１８の他の配置例を示す平面図である。  
本例のセンサーユニット１８は、玄関台１０を上方から見て、足載せ板１１の上面側四隅部（足載せ板１１の左右縁部及び前後縁部に沿って）に配置されている。
【０１０５】
つまり、玄関Ａに設置された玄関台１０に室外側或いは室内側から人が接近した際、足載せ板１１の上面側四隅部に配置された一つ又は複数のセンサーユニット１８の人感知センサー１８ａから人を検知した検知信号が出力される。
【０１０６】
図示しない制御装置は、人感知センサー１８ａから出力される検知信号に基づいて、足載せ板１１の上面側四隅部に配置されたセンサーユニット１８の発光素子１８ｂを点灯させるので、足載せ板１１の左右端部及び前後端部の位置確認が視覚的に行える。
【０１０７】
これにより、足載せ板１１の足を載せる足載せ位置が、足載せ板１１の上面側四隅部に配置されたセンサーユニット１８の発光素子１８ｂが発光する間であることを、玄関台１０に接近する人に対し視覚的に認識させることができ、前記実施例の玄関台１０と略同等の作用及び効果を奏することができる。
【０１０８】
図１３は、滑り止め部材１９Ｂの他の埋め込み構造を示す玄関台１０の中央縦断側面図である。  
本例の玄関台１０は、足載せ板１１の上面側に、柔軟性を有するシリコンゴム製の滑り止め部材１９Ｂを埋め込むための溝部１１ａが、足載せ板１１の長手方向と平行して形成されている。
【０１０９】
溝部１１ａは、足載せ板１１の短手方向と直交する方向に対し等間隔に隔てて４条配列されている。また、溝部１１ａは、長手方向から見て頂部が開放された三角断面形状に形成されている。また、溝部１１ａの内面は、ウレタンゴム製の被覆材１１ｂで覆われている。
【０１１０】
溝部１１ａに埋め込まれる滑り止め部材１９Ｂは、溝部１１ａと対応して長手方向から見て三角断面形状に形成されるとともに、該滑り止め部材１９Ｂの頂部が溝部１１ａの開放された部分より上方に突出される大きさ及び形状に形成されている（図１３のｂ部参照）。
【０１１１】
つまり、人の足が、足載せ板１１の上面に突出する滑り止め部材１９Ｂの頂部に載せられた際、滑り止め部材１９Ｂの接触抵抗が足の裏に付与される。また、滑り止め部材１９Ｂの頂部が人の体重によって扁平状態に変形され、足の裏に押し付けられる接触面積が大きくなるので、前記滑り止め部材１９Ａと略同等の作用及び効果を奏することができる。
【０１１２】
また、溝部１１ａより上方に突出される滑り止め部材１９Ｂの頂部に比べて、溝部１１ａ内に埋め込まれる滑り止め部材１９Ｂの底部側が大きいので、滑り止め部材１９Ｂの頂部に大きな接触抵抗が付与されても、滑り止め部材１９Ｂが溝部１１ａから抜き取られるのを防止することができる。
【０１１３】
図１４は、階段状に組み立てられる２段式の玄関台２０の他の例を示す斜視図、図１５は、前後の足載せ台２０Ａ，２０Ｂを分離した状態を示す斜視図、図１６は、前後の足載せ台２０Ａ，２０Ｂを互いに合体した状態を示す斜視図、図１７は、前後足載せ台２０Ａ，２０Ｂの固定構造を示す部分拡大断面図である。
【０１１４】
本例の玄関台２０は、足載せ高さが低位となるように組み立てられた前側足載せ台２０Ａと、足載せ高さが高位となるように組み立てられた後側足載せ台２０Ｂとで構成されている。また、前側足載せ台２０Ａは、後側足載せ台２０Ｂの略１／２の足載せ高さに組み立てられている。
【０１１５】
前側足載せ台２０Ａは、上方から見て略矩形に形成された足載せ板２１Ａと、該足載せ板２１Ａの下面側に固定される枠部２２Ａとで構成されている。また、枠部２２Ａは、前側枠板２３Ａと左右枠板２４Ａとを下方から見て略コ字状となるように組み付けて形成されている。
【０１１６】
枠板２４Ａの後端側外壁面には、ボルト２７を挿通するための孔部２６が厚み方向に貫通して形成されている。つまり、枠板２４Ａの後端側は、該枠板２４Ａの孔部２６に挿通されるボルト２７によって後述する下部枠板２４Ｃの前端側外壁面に固定される。
【０１１７】
前側足載せ台２０Ａの下面側及び後面側は、後側足載せ台２０Ｂの下部外面に対し嵌合が許容される大きさ及び形状に開口されている。  
左右枠板２４Ａの下面側前端部に形成された切欠き部２４ａには、前記実施例と同一構造のアジャスター２５が取り付けられている。また、左右枠板２４Ａの下面側後端部と、後述する下部枠板２４Ｃの下面側前端部には、前記実施例と同一材質の接地部材２４ｂが固定されている。
【０１１８】
後側足載せ台２０Ｂは、上方から見て略矩形に形成された足載せ板２１Ｂと、該足載せ板２１Ｂの下面側に固定される枠部２２Ｂとで構成されている。また、枠部２２Ｂは、前後枠板２３Ｂと左右枠板２４Ｂとを下方から見て略コ字状となるように組み付けて形成されている。
【０１１９】
左右枠板２４Ｂの内側壁面には、前記枠板２４Ａの厚み分だけ内側に下部枠板２４Ｃが組み付けられている。また、左右枠板２４Ｂの前端より前方に突出する左右下部枠板２４Ｃの前端側対向面間には、図示しない下部枠板が固定されている。また、下部枠板２４Ｃの前端側には、前記足載せ板２１Ａの後端を係合するための凹部２４Ｅが形成されている。
【０１２０】
なお、足載せ板２１Ａ，２１Ｂの上面側（足載せ面）は、足の滑り止め防止に必要な接触抵抗を有するウレタンゴム製の被覆材２１ａで覆われている。
【０１２１】
玄関台２０を、玄関Ａの框部Ａｂに沿って設置する場合、前側足載せ台２０Ａの足載せ板２１Ａの後端側を、後側足載せ台２０Ｂの下部枠板２４Ｃの凹部２４Ｅに対し前方から係合する。また、前側足載せ台２０Ａの左右枠板２４Ａの後端を、後側足載せ台２０Ｂの左右枠板２４Ｂより内側に固定された下部枠板２４Ｃの前端側外壁面に係合する。
【０１２２】
この後、左右枠板２４Ａの後端を、左右下部枠板２４Ｃの前端側外壁面にボルト２７で固定すれば、前側足載せ台２０Ａと後側足載せ台２０Ｂとが、図１４に示す階段状に組み立てられる。この後、玄関台２０は、前記取付け金具４０，５０を用いて玄関Ａの框部Ａｂ前面に固定される。
【０１２３】
つまり、玄関Ａに設置された玄関台２０の前側足載せ台２０Ａと後側足載せ台２０Ｂに足を順に載せて上り下りするので、前記実施例の玄関台１０より段差が小さく、玄関Ａの框部Ａｂを上り下りする動作が楽に行える。
【０１２４】
玄関台２０を梱包又は保管する場合には、ボルト２７による固定を解除して抜き取った後、前側足載せ台２０Ａを、後側足載せ台２０Ｂから一旦分離して上下反転する（図１５参照）。
【０１２５】
この後、前側足載せ台２０Ａの左右枠板２４Ａを、後側足載せ台２０Ｂの左右下部枠板２４Ｃの外壁面に係合して、前側足載せ台２０Ａと後側足載せ台２０Ｂとを互いに合体する（図１６参照）。  
これにより、玄関台２０の梱包及び保管に要するスペースが小さくて済み、取り扱いが簡単且つ容易に行える。
【０１２６】
前側足載せ台２０Ａの前側枠板２３Ａの前面側中央部と、足載せ板２１Ａの上面側両端部と、後側足載せ台２０Ｂの足載せ板２１Ｂの上面側両端部には、前記実施例と同一構造のセンサーユニット１８が配置されている。
【０１２７】
つまり、玄関Ａに設置された玄関台２０に室内側から人が接近した際、後側足載せ台２０Ｂの足載せ板２１Ｂに取り付けられた右端及び／又は左端のセンサーユニット１８の人感知センサー１８ａから人を検知した検知信号が出力される。
【０１２８】
図示しない制御装置は、人感知センサー１８ａから出力される検知信号に基づいて、前側足載せ台２０Ａ及び後側足載せ台２０Ｂに取り付けられた全センサーユニット１８の発光素子１８ｂを一定時間だけ点灯させる。
【０１２９】
これにより、足載せ板２１Ａ，２１Ｂの足を載せる足載せ位置が、足載せ板２１Ａ，２１Ｂの左右端部に取り付けられたセンサーユニット１８の発光素子１８ｂが発光する間であることを、玄関台２０に接近する人に対し視覚的に認識させることができる。
【０１３０】
また、玄関Ａに設置された玄関台２０に室外側から人が接近した際、前側足載せ台２０Ａの前側枠板２３Ａに取り付けられたセンサーユニット１８の人感知センサー１８ａから人を検知した検知信号が出力される。
【０１３１】
図示しない制御装置は、人感知センサー１８ａから出力される検知信号に基づいて、前側足載せ台２０Ａ及び後側足載せ台２０Ｂに取り付けられた全センサーユニット１８の発光素子１８ｂを一定時間だけ点灯させる。
【０１３２】
これにより、足載せ板２１Ａの足を載せる前端の位置が、前側枠板２３Ａに取り付けられたセンサーユニット１８の発光素子１８ｂが発光する位置であることを、玄関台２０に接近する人に対し視覚的に認識させることができるので、前記実施例と略同等の作用及び効果を奏することができる。
【０１３３】
図１８は、高さ調節機能を備えた玄関台３０のその他の例を示す斜視図、図１９は、玄関台３０の高さ調節動作を示す斜視図、図２０は、玄関台３０の高さ調節動作を示す側面図、図２１は、玄関台３０の高さ調節構造を示す拡大縦断正面図である。
【０１３４】
本例の玄関台３０は、玄関Ａの框部Ａｂに沿って設置される台本体３１と、該台本体３１の上面側に形成された上方から見て略矩形の枠部３２外面に対し上下動自在に嵌合される足載せ台３３とで構成されている。また、枠部３２は、前後枠板３２ａと左右枠板３２ｂとを上方から見て略矩形となるように組み付けて形成されている。
【０１３５】
前側枠板３２ａの下面側両端部に形成された切欠き部３２ｃには、前記実施例と同一構造のアジャスター３６が取り付けられている。また、前側枠板３２ａの下面側両端部には、前記実施例と同一材質の接地部材３２ｄが固定されている。
【０１３６】
足載せ台３３は、上方から見て略矩形に形成された足載せ板３４と、該足載せ板３４の下面側に固定される枠部３５とで構成されている。また、足載せ板３４の上面側（足載せ面）は、足の滑り止め防止に必要な接触抵抗を有するウレタンゴム製の被覆材３４ａで覆われている。
【０１３７】
枠部３５は、前後枠板３５ａと左右枠板３５ｂとを下方から見て略矩形となるように組み付けて形成されている。また、枠部３５の下面側は、台本体３１の枠部３２外面に対し上下動自在に嵌合が許容される大きさ及び形状に開口されている。
【０１３８】
枠板３５ｂの前後下端部には、ボルト３８を挿通するための孔部３７が厚み方向に貫通して形成されている。つまり、枠板３５ｂの前後下端部は、該孔部３７に挿通されるボルト３８によって枠板３２ａの両側端面に固定される。
【０１３９】
枠板３２ａの両側端面には、ボルト３８を螺合するための孔部３９が該枠板３２ａの端面に沿って上下方向に対し等間隔に隔てて４個配列されている。
【０１４０】
つまり、ボルト３８を、枠板３５ｂの孔部３７に挿通して、枠板３２ａに形成された所望する高さ位置の孔部３９に螺合することにより、足載せ台３３を、図１８に示す足載せ高さが最低となる下限位置と、図１９に示す足載せ高さが最高となる上限位置との間で、４段階に高さ調節することができる。
【０１４１】
これにより、足載せ台３３（足載せ板３４を含む）を、玄関Ａの框部Ａｂの高さに応じて、該玄関Ａの框部Ａｂを上り下りする動作が楽に行える高さに上下調節することができる。また、玄関台３０は、前記取付け金具４０，６０を用いて玄関Ａの框部Ａｂ前面に固定される。
【０１４２】
足載せ板３４の上面側両端部（足載せ面の左右端部）と、前側枠板３５ａの前面側中央部には、前記実施例と同一構造のセンサーユニット１８が取り付けられている。
【０１４３】
つまり、玄関Ａに設置された玄関台３０に室内側から人が接近した際、足載せ板３４の右端及び／又は左端に取り付けられたセンサーユニット１８の人感知センサー１８ａから人を検知した検知信号が出力される。
【０１４４】
図示しない制御装置は、人感知センサー１８ａから出力される検知信号に基づいて、足載せ板３４の右端及び左端に取り付けられたセンサーユニット１８の発光素子１８ｂを一定時間だけ点灯させる。
【０１４５】
これにより、足載せ板３４の足を載せる足載せ位置が、足載せ板３４の右端及び左端に取り付けられたセンサーユニット１８の発光素子１８ｂが発光する間であることを、玄関台３０に接近する人に対し視覚的に認識させることができる。
【０１４６】
また、玄関Ａに設置された玄関台３０に室外側から人が接近した際、足載せ台３３の前側枠板３５ａに取り付けられたセンサーユニット１８の人感知センサー１８ａから人を検知した検知信号が出力される。
【０１４７】
図示しない制御装置は、人感知センサー１８ａから出力される検知信号に基づいて、足載せ台３３に取り付けられた全センサーユニット１８の発光素子１８ｂを一定時間だけ点灯させる。
【０１４８】
これにより、足載せ台３３の足を載せる前端の位置が、前側枠板３５ａに取り付けられたセンサーユニット１８の発光素子１８ｂが発光する位置であることを、玄関台３０に接近する人に対し視覚的に認識させることができる。
【０１４９】
これにより、玄関Ａの框部Ａｂを上り下りする際に、玄関Ａに設置された玄関台３０の足載せ板３４上に人の足を確実に誘導することができ、踏み外しや躓きが起きるのを防止することができるので、前記実施例と略同等の作用及び効果を奏することができる。
【０１５０】
この発明の構成と、前記実施形態との対応において、  
この発明の建物に存在する段差部は、実施例の玄関Ａの框部Ａｂに対応し、  
以下同様に、  
発光部は、発光素子１８ｂに対応し、  
固定手段は、取付け金具４０，５０，６０に対応するも、  
この発明は、上述の実施形態の構成のみに限定されるものではなく、請求項に示される技術思想に基づいて応用することができ、多くの実施の形態を得ることができる。
【０１５１】
前記センサーユニット１８の発光素子１８ｂを、人感知センサー１８ａの検知範囲内に人が入ると点灯し、該人感知センサー１８ａの検視範囲外に人が出ると消灯するように設定してもよい。  
また、前側枠板１３の前面側に、センサーユニット１８の人感知センサー１８ａのみを配置してもよい。
【０１５２】
被覆材１１ｂ，２１ａ，３４ａの代わりに、例えば短繊維からなる起毛を静電気植毛するか、或いは、柔軟性を有するプラスチック、不織布、布地、皮革などを被覆してもよい。  
取付け金具４０，５０，６０の代わりに、例えば面ファスナー、マグネット等を用いてもよい。
【符号の説明】
【０１５３】
Ａ…玄関
Ａａ…床部
Ａｂ…框部
１０…玄関台
１１…足載せ板
１１ａ…溝部
１２…枠部
１３，１４…枠板
１８…センサーユニット
１８ａ…人感知センサー
１８ｂ…発光素子
１９Ａ，１９Ｂ…滑り止め部材
２０，３０…玄関台
２０Ａ…前側足載せ台
２０Ｂ…後側足載せ台
２１Ａ，２１Ｂ，３４…足載せ板
２２Ａ，２２Ｂ…枠部
２６，３７，３９…孔部
２７，３８…ボルト
３１…台本体
３３…足載せ台
３５…枠部
４０，５０，６０…取付け金具
４１…係止金具
４１ａ…差込み片
５１，６１…係止ピン
５１ａ，６１ａ…頭部
４２，５２，６２…受け金具
４４ａ，５４ａ，６４ｂ…溝部
４４ｂ，５４ｂ…開口部
６４ａ…受け片
５６，６６…係止金具
５６ｂ，６６ｂ…差込み片
【図１】
0005463105.tif 000002
【図２】
0005463105.tif 000003
【図３】
0005463105.tif 000004
【図４】
0005463105.tif 000005
【図５】
0005463105.tif 000006
【図６】
0005463105.tif 000007
【図７】
0005463105.tif 000008
【図８】
0005463105.tif 000009
【図９】
0005463105.tif 000010
【図１０】
0005463105.tif 000011
【図１１】
0005463105.tif 000012
【図１２】
0005463105.tif 000013
【図１３】
0005463105.tif 000014
【図１４】
0005463105.tif 000015
【図１５】
0005463105.tif 000016
【図１６】
0005463105.tif 000017
【図１７】
0005463105.tif 000018
【図１８】
0005463105.tif 000019
【図１９】
0005463105.tif 000020
【図２０】
0005463105.tif 000021
【図２１】
0005463105.tif 000022